(57)【要約】【課題】  今後の端末までの光化時代向けて、宅内の光ファイバ配線をユーザ自身で安全かつ確実に行うことができ、かつ、バリを抑制することができる、ＵＶ被覆付き光ファイバ素線の切断工具を提供する。【解決手段】  ＵＶ被覆、一次被覆、クラッド、コアからなる通信用光ファイバ素線を長手方向の任意の位置に、この素線を把持する把持部１６と、把持部によって把持された通信用光ファイバ素線の長手方向と直角の方向から、ＵＶ被覆と一次被覆とクラッドとに微細な刃傷を付ける刃部２４と、刃部２４によって刃傷を付けられた通信用光ファイバ素線を曲げて応力を与え、曲げによる引張り力でこの通信用光ファイバ素線を切断し、把持部１６によって把持されているこの素線に刃傷が入り過ぎないように、刃部２４の圧力を吸収し、刃傷を付けた箇所に応力を与える応力発生ボタン１５および板バネ１３とを有する。【選択図】  図１
2005173183.tif 000002
【特許請求の範囲】
【請求項１】
ＵＶ被覆、一次被覆、クラッド、コアからなる通信用光ファイバ素線を長手方向の位置に、この素線を把持する把持部（１６）と、
前記把持部（１６）によって把持された通信用光ファイバ素線の長手方向と直角の方向から、前記ＵＶ被覆と前記一次被覆と前記クラッドとに微細な刃傷を付ける刃部（２４）と、
前記刃部（２４）によって刃傷を付けられた前記通信用光ファイバ素線を曲げて応力を与え、曲げによる引張り力でこの通信用光ファイバ素線を切断する切断手段と、
を有することを特徴とするＵＶ被覆付き光ファイバ素線の切断工具。
【請求項２】
ＵＶ被覆、一次被覆、クラッド、コアからなる通信用光ファイバ素線を長手方向の任意の位置に、この素線を把持する把持部（１６）と、
前記把持部によって把持された通信用光ファイバ素線の長手方向と直角の方向から、前記ＵＶ被覆と前記一次被覆と前記クラッドとに微細な刃傷を付ける刃部（２４）と、
前記刃部（２４）によって刃傷を付けられた前記通信用光ファイバ素線を曲げて応力を与え、曲げによる引張り力でこの通信用光ファイバ素線を切断し、前記把持部（１６）によって把持されているこの素線に刃傷が入り過ぎないように、前記刃部（２４）の圧力を吸収し、刃傷を付けた箇所に応力を与える応力発生ボタン（１５）および板バネ（１３）と、
を有し、
前記把持部（１６）によって把持された前記通信用光ファイバ素線の切断面を損傷することなく、この素線を切断することを特徴とするＵＶ被覆付き光ファイバ素線の切断工具。
【請求項３】
前記刃部（２４）は、ルビー、ダイヤモンド等のガラスを切断できる材料で作られ、片刃であり、かつ、片刃の角度が０度より大きく３０度以下であることを特徴とする請求項１または２に記載のＵＶ被覆付き光ファイバ素線の切断工具。
【請求項４】
前記把持部（１６）は、長手方向に２箇所設けられ、
前記把持部（１６）を操作して、前記通信用光ファイバ素線の固定と解除とを簡単に行うことを可能にする把持部動作ボタン（１７）を有することを特徴とする請求項１〜３のいずれか１項に記載のＵＶ被覆付き光ファイバ素線の切断工具。
【請求項５】
前記把持部（１６）は、長手方向に少なくとも２箇所設けられ、前記通信用光ファイバ素線を固定することにより、前記刃部（２４）に対して垂直にこの素線をセットすることを特徴とする請求項１〜４のいずれか１項に記載のＵＶ被覆付き光ファイバ素線の切断工具。
【請求項６】
前記板バネ（１３）は、硬質ゴム等であり、応力発生による変形後に元の形状に戻る材質であることを特徴とする請求項２〜５のいずれか１項に記載のＵＶ被覆付き光ファイバ素線の切断工具。
【請求項７】
前記刃部（２４）による刃傷は、前記把持部（１６）の間の中央に入ることを特徴とする請求項４〜６のいずれか１項に記載のＵＶ被覆付き光ファイバ素線の切断工具。
【請求項８】
前記応力発生ボタン（１５）は、前記板バネ（１３）の背面から、かつ、前記刃部（２４）による刃傷が開くように応力を発生させることを特徴とする請求項２〜７のいずれか１項に記載のＵＶ被覆付き光ファイバ素線の切断工具。
【請求項９】
前記把持部（１６）は、前記通信用光ファイバ素線の切断後、使用側および捨てる側を把持して、光ファイバ屑の紛失を抑制することを特徴とする請求項２〜８のいずれか１項に記載のＵＶ被覆付き光ファイバ素線の切断工具。
【請求項１０】
前記把持部（１６）に前記通信用光ファイバ素線を案内するガイドピン（１４）が設けられていることを特徴とする請求項１〜９のいずれか１項に記載のＵＶ被覆付き光ファイバ素線の切断工具。
【請求項１１】
前記刃部（２４）の刃傷を付ける圧力は、圧力調整ネジ（２３Ｄ）によってバネ圧を調整することで可変することを特徴とする請求項１〜１０のいずれか１項に記載のＵＶ被覆付き光ファイバ素線の切断工具。
【請求項１２】
前記刃部（２４）を取り替えること、および、片刃の向きを変えることを可能にする保持部（２３）を有し、
この保持部（２３）により左利き用、右利き用の作業を可能とすることを特徴とする請求項１〜１１のいずれか１項に記載のＵＶ被覆付き光ファイバ素線の切断工具。
【発明の詳細な説明】
【技術分野】
【０００１】
本発明は、主に住宅内に光ファイバケーブルを配線する際に、この配線により生じる接続工程で用いられる、ＵＶ被覆付き光ファイバ素線の切断工具に関する。
【背景技術】
【０００２】
従来、光ファイバの切断には、光ファイバカッターが使用されている。光ファイバカッターは、ＵＶ被覆（紫外線硬化被覆）等のコーティングをストリッパで剥ぎ取った後、クラッド部分にダイヤモンド等の刃で傷を付けて切断する工具である。また、光ケーブル接続技術は、電話局から顧客の宅内までに用いられる接続技術を、そのまま利用する形態がとられている。
【０００３】
一方、メタルケーブルでは、施工技術の簡素化並びにジャック式ローゼットまでの先行配線等により、ユーザ自身で電話機を接続することができる。少し技術内容に詳しい顧客であれば、自宅にある工具で、簡単に開通工事や故障切り分け等を行うことができる。
【０００４】
しかし、光ファイバの施工技術では、特別な技能を持った作業者が特殊な工具を用いて施工を行う必要があるため、ユーザ自身で施工を行うことができない。特に、接続作業では、素線接続を行うために、ＵＶ被覆の剥ぎ取り、アルコールによる清掃、決められた長さでの切断、特殊工具での接続といった一連の複雑な作業がある。この作業については、下記の非特許文献１、２に記載されている。
【非特許文献１】「光ファイバ施工技術」  株式会社オプトロニクス社  Ｐ９８〜１２１
【非特許文献２】http://www.optronics.co.jp/fiber/kaiketsu/lesson/lessonindex.html光ファイバ施工技術
【発明の開示】
【発明が解決しようとする課題】
【０００５】
光ファイバの施工技術には、次のような問題点がある。つまり、ＵＶ被覆除去後の光ファイバは透明で見づらく、切断屑を見失うと皮膚に刺さるといった面もあることから、ユーザ自身が簡単かつ安全に行える作業ではない。
【０００６】
また、これまでのカッターは両刃が用いられている。図１０（ａ）に示すように、両刃カッター２００を用いて、光ファイバ１１１と被覆１１２とから成る光ファイバ素線１１０に刃傷を付けて、光ファイバ素線１１０を切断する。これによって、図１０（ｂ）に示すように、光ファイバ素線１１０は、使用側素線１２０と捨てる側素線１３０とに別れる。このとき、両方の素線に被覆の破損１３０が発生する。つまり、使用側素線１２０の被覆に微細な傷が入り、図１０（ｃ）に示すように、切断後に、光ファイバ１２１の先端側の被覆１２２のバリ１２３となることがある。（先の非特許文献１に記載）
【０００７】
本発明は、前記の課題を解決し、今後の端末までの光化時代向けて、宅内の光ファイバ配線をユーザ自身で安全かつ確実に行うことができ、かつ、バリを抑制することができる、ＵＶ被覆付き光ファイバ素線の切断工具を提供することにある。
【課題を解決するための手段】
【０００８】
前記課題を解決するために、請求項１の発明は、ＵＶ被覆、一次被覆、クラッド、コアからなる通信用光ファイバ素線を長手方向の位置に、この素線を把持する把持部と、前記把持部によって把持された通信用光ファイバ素線の長手方向と直角の方向から、前記ＵＶ被覆と前記一次被覆と前記クラッドとに微細な刃傷を付ける刃部と、前記刃部によって刃傷を付けられた前記通信用光ファイバ素線を曲げて応力を与え、曲げによる引張り力でこの通信用光ファイバ素線を切断する切断手段とを有することを特徴とするＵＶ被覆付き光ファイバ素線の切断工具である。
請求項２の発明は、ＵＶ被覆、一次被覆、クラッド、コアからなる通信用光ファイバ素線を長手方向の任意の位置に、この素線を把持する把持部と、前記把持部によって把持された通信用光ファイバ素線の長手方向と直角の方向から、前記ＵＶ被覆と前記一次被覆と前記クラッドとに微細な刃傷を付ける刃部と、前記刃部によって刃傷を付けられた前記通信用光ファイバ素線を曲げて応力を与え、曲げによる引張り力でこの通信用光ファイバ素線を切断し、前記把持部によって把持されているこの素線に刃傷が入り過ぎないように、前記刃部の圧力を吸収し、刃傷を付けた箇所に応力を与える応力発生ボタンおよび板バネとを有し、前記把持部によって把持された前記通信用光ファイバ素線の切断面を損傷することなく、この素線を切断することを特徴とするＵＶ被覆付き光ファイバ素線の切断工具である。
請求項３の発明は、請求項１または２に記載のＵＶ被覆付き光ファイバ素線の切断工具において、前記刃部は、ルビー、ダイヤモンド等のガラスを切断できる材料で作られ、片刃であり、かつ、片刃の角度が０度より大きく３０度以下であることを特徴とする。
請求項４の発明は、請求項１〜３のいずれか１項に記載のＵＶ被覆付き光ファイバ素線の切断工具において、前記把持部は、長手方向に２箇所設けられ、前記把持部を操作して、前記通信用光ファイバ素線の固定と解除とを簡単に行うことを可能にする把持部動作ボタンを有することを特徴とする。
請求項５の発明は、請求項１〜４のいずれか１項に記載のＵＶ被覆付き光ファイバ素線の切断工具において、前記把持部は、長手方向に少なくとも２箇所設けられ、前記通信用光ファイバ素線を固定することにより、前記刃部に対して垂直にこの素線をセットすることを特徴とする。
請求項６の発明は、請求項２〜５のいずれか１項に記載のＵＶ被覆付き光ファイバ素線の切断工具において、前記板バネは、硬質ゴム等であり、応力発生による変形後に元の形状に戻る材質であることを特徴とする。
請求項７の発明は、請求項４〜６のいずれか１項に記載のＵＶ被覆付き光ファイバ素線の切断工具において、前記刃部による刃傷は、前記把持部の間の中央に入ることを特徴とする。
請求項８の発明は、請求項２〜７のいずれか１項に記載のＵＶ被覆付き光ファイバ素線の切断工具において、前記応力発生ボタンは、前記板バネの背面から、かつ、前記刃部による刃傷が開くように応力を発生させることを特徴とする。
請求項９の発明は、請求項２〜８のいずれか１項に記載のＵＶ被覆付き光ファイバ素線の切断工具において、前記把持部は、前記通信用光ファイバ素線の切断後、使用側および捨てる側を把持して、光ファイバ屑の紛失を抑制することを特徴とする。
請求項１０の発明は、請求項１〜９のいずれか１項に記載のＵＶ被覆付き光ファイバ素線の切断工具において、前記把持部に前記通信用光ファイバ素線を案内するガイドピンが設けられていることを特徴とする。
請求項１１の発明は、請求項１〜１０のいずれか１項に記載のＵＶ被覆付き光ファイバ素線の切断工具において、前記刃部の刃傷を付ける圧力は、圧力調整ネジによってバネ圧を調整することで可変することを特徴とする。
請求項１２の発明は、請求項１〜１１のいずれか１項に記載のＵＶ被覆付き光ファイバ素線の切断工具において、前記刃部を取り替えること、および、片刃の向きを変えることを可能にする保持部を有し、この保持部により左利き用、右利き用の作業を可能とすることを特徴とする。
【発明の効果】
【０００９】
本発明のＵＶ被覆付き光ファイバ素線の切断工具によれば、次のような効果を得ることができる。
ａ．ユーザ自身で光ファイバの接続を簡単かつ確実に行うことができる。
ｂ．前記のａにより、光ＬＡＮ配線をユーザ自身で構築することができる。
ｃ．光ファイバ屑を紛失することなく安全に作業できる。
【発明を実施するための最良の形態】
【００１０】
つぎに、本発明の実施の形態について説明する。本実施の形態によるＵＶ被覆付き光ファイバ素線の切断工具（以下、切断工具という）は、ＵＶ被覆、一次被覆、クラッド、およびコアからなるＵＶ被覆付き光ファイバ素線（以下、通信用光ファイバ素線という）を切断するものである。本実施の形態では、切断する通信用光ファイバ素線の直径は、被覆付きで１２５〜２５０μｍである。図１に示すように、本実施の形態による切断工具は、本体１とスライド部２とで構成されている。
【００１１】
本体１は、直方体の本体部分１１と、本体部分１１に一体的に設けられ、かつ、本体部分１１の表面１１Ａの端部に設けられた直方体の側部分１２とで構成されている。本体部分１１と側部分１２とによって、本体１の正面形状は、角度が直角のＬ字状である。本体１の表面１１Ａには、この表面１１Ａ上を移動可能にスライド部２が取り付けられている。
【００１２】
側部分１２の表面１２Ａには、板バネ１３が設けられている。板バネ１３は、応力が加えられると変形し、この応力が除かれると元の形状に戻る。板バネ１３としては、板状の硬質ゴム等が用いられる。
【００１３】
板バネ１３の前面１３Ａには、２本で１組のガイドピン１４が２組設けられている。一方の組のガイドピン１４は、他方の組のガイドピン１４と互いに向かい合うように配置されている。各組のガイドピン１４は、通信用光ファイバ素線を、後述する把持部１６に通しやすくするためのものである。このために、各組のガイドピン１４は、通信用光ファイバ素線の直径（１２５〜２５０μｍ）と同じ程度または広い間隔でそれぞれ配置されている。
【００１４】
また、ガイドピン１４は、側部分１２の表面１２Ａの両端部分に取り付けられている。これによって、板バネ１３の両端部分が側部分１２の表面１２Ａに固定され、中央部分が表面１２Ａと向かい合うだけで固定されていない。
【００１５】
両端部分が固定された板バネ１３の中央部分に応力を加えるために、棒状の応力発生ボタン１５が側部分１２に設けられている。図２に示すように、応力発生ボタン１５の先端は、側部分１２を貫通し、板バネ１３の裏面１３Ｂに接触している。応力発生ボタン１５が側部分１２の裏面１２Ｂに向けて押されると、応力発生ボタン１５の先端が板バネ１３に応力を加える。先に述べたように、側部分１２の表面１２Ａに板バネ１３が固定されているので、２組のガイドピン１４の間に位置する、板バネ１３の中央部分がスライド部２に向かって凸状に変形する。応力発生ボタン１５によれば、後述する刃傷を開くように、応力を発生させることができる。
【００１６】
板バネ１３の前面１３Ａには、２つの把持部１６が設けられている。把持部１６は、通信用光ファイバ素線の長手方向に、この素線を固定する。把持部１６の配列方向１６Ａ（図１）は、本体部分１１の表面１１Ａおよび板バネ１３の前面１３Ａに平行である。把持部１６の形状はＵ字状であり、Ｕ字の閉じた先端は、板バネ１３の前面１３Ａから突出し、通信用光ファイバ素線を通すことができる。Ｕ字の閉じた先端は半円形であり、先端の内側の直径が１２５μｍ〜２５０μｍである。つまり、把持部１６には、通信用光ファイバ素線を通すためのＵ字状の長孔が開けられ、この長孔は、被覆付で直径１２５〜２５０μｍの通信用光ファイバ素線に対応している。
【００１７】
把持部１６は、２組のガイドピン１４の間にそれぞれ設けられている。把持部１６は、板バネ１３の前面１３Ａに対して動かすことができ、このために、棒状の操作ボタン１７が側部分１２に設けられている。操作ボタン１７の先端は、側部分１２を貫通し、把持部１６に連結している。操作ボタン１７が側部分１２の裏面１２Ｂに向けて押されると、把持部１６がスライド部２に向かって動き、逆の操作によって、把持部１６が板バネ１３の前面１３Ａに向かって動く。この結果、板バネ１３の前面１３Ａから突出する、把持部１６の長孔の長さを調整することができる。
【００１８】
把持部１６によれば、通信用光ファイバ素線を切断した後、使用する側の通信用光ファイバ素線と、捨てる側の通信用光ファイバ素線との両方を把持する。
【００１９】
スライド部２は、本体部分１１の表面１１Ａ上を板バネ１３の前面１３Ａに向かって、または、その逆方向に動く。スライド部２の形状は直方体であるが、スライド部２の表面には傾斜が設けられている。スライド部２の表面にはすべり止め２１が設けられている。すべり止め２１は、スライド部２の表面に複数の切り込みを入れて形成された、複数の板状体２１Ａによって構成されている。これによって、通信用光ファイバ素線の切断作業をするために、作業者の手がすべり止め２１に置かれると、手が滑ることを防ぐことができる。
【００２０】
スライド部２の表面２Ａ（図２）の上端部には、板状突起２２が設けられている。板状突起２２は、本体１のガイドピン１４や把持部１６にスライド部２の表面２Ａが当たることを防いでいる。
【００２１】
スライド部２の表面２Ａ、つまり、板バネ１３の前面１３Ａと向かい合う面には、図３に示すように、保持部２３に固定された、鋭利な刃部２４（以下、刃２４という）が設けられている。
【００２２】
保持部２３は、固定台２３Ａとスプリング２３Ｂと移動板２３Ｃとネジ２３Ｄとで構成されている。固定台２３Ａは断面形状が角形の角棒状であり、その長手方向の一端にフランジ２３Ａ１が設けられている。フランジ２３Ａ１は、スライド部２内に設けられた空洞２Ｃ内を、本体１の表面１１Ａと平行な方向Ａ１およびその逆方向に移動可能である。また、固定台２３Ａの他端は、空洞２Ｃと連結されている空洞２Ｄ内に収められている。固定台２３Ａのフランジ２３Ａ１には、固定具２３Ａ２が設けられている。
【００２３】
固定具２３Ａ２は刃２４を固定するものである。固定具２３Ａ２は次のようにして刃２４を固定している。図４（ａ）に示すように、固定具２３Ａ２には、刃２４が入る溝２３Ａ２１が設けられている。溝２３Ａ２１に入った刃２４は、ネジ２３Ａ２２によって固定される。固定具２３Ａ２として、図４（ａ）に示すものに限定されることはない。たとえば、図４（ｂ）に示すように、刃２４の幅より広い台部分２４１を刃２４の下端に設ける。また、溝２３Ａ２１の下端にも、刃２４の台部分２４１と嵌合する溝２３Ａ２３を設ける。そして、刃２４を溝２３Ａ２１にスライドして、刃２４を固定してもよい。
【００２４】
保持部２３の移動板２３Ｃ（図３）は、固定台２３Ａと同じ角形の板である。移動板２３Ｃはスライド部２の空洞２Ｄ内を、方向Ａ１およびその逆方向に移動可能である。移動板２３Ｃと固定台２３Ａの他端との間には、スプリング２３Ｂが配置されている。スプリング２３Ｂは、固定台２３Ａを方向Ａ１に押して、固定台２３Ａに圧力を加える。移動板２３Ｃの中心は、ネジ２３Ｄの一端部と嵌合している。ネジ２３Ｄの他端はスライド部２の裏面２Ｂに出ていて、ネジ２３Ｄは作業者によって回転される。刃傷を付ける圧力は、ネジ２３Ｄによってバネ圧を調整することで可変される。
【００２５】
こうした構造の保持部２３を用いると、固定具２３Ａ２によって、刃２４の抜き差しができるので、刃２４の交換を可能にし、かつ、図４（ａ）の鎖線で示すように、刃２４の向きを変えることによって、左利きの作業者や、右利き作業者が不都合なく、切断工具を扱えることを可能にする。また、ネジ２３Ｄを回転させることによって、刃２４に加える圧力を調整することができる。
【００２６】
刃２４は、通信用光ファイバ素線の長手方向と直角の方向から、この通信用光ファイバ素線のＵＶ被覆と一次被覆とクラッドとに微細な刃傷を付けるためのものである。刃２４は、ルビー、ダイヤモンド等のガラスを切断できる材料で作られている。具体的には、ルビーを削り出したルビー刃や、硬い金属の刃先をダイヤモンド加工したダイヤモンド刃などが刃２４として用いられる。
【００２７】
刃２４は片刃であり、刃２４の断面形状が楔形をしている。刃２４の一方の面２４Ａ（図２）がスライド部２の表面２Ａに対して直角になるように、刃２４は保持部２３に取り付けられている。刃２４の一方の面２４Ａに対して他方の面２４Ｂ（以下、傾斜面２４Ｂという）が傾斜している。傾斜面２４Ｂの傾斜角度が０度より大きく３０度以下である。つまり、本実施の形態では、通信用光ファイバ素線を切断するときに、被覆と光ファイバ（クラッド、コア）とを同時に切断する。このために、刃２４によって被覆に刃傷を入れた後でクラッドに傷を付ける。このとき、刃２４の角度を３０度より大きくすると、被覆に刃傷が入りにくくなる。この結果、本実施の形態では、刃２４の傾斜角度を０度より大きく３０度以下としている。
【００２８】
刃２４の先端２４Ｃは２つの把持部１６の間に位置するように、刃２４はスライド部２の保持部２３に取り付けられている。かつ、刃２４の先端２４Ｃが、把持部１６の配列方向１６Ａ（図１）と直角に交差するように、刃２４が配置されている。
【００２９】
以上が本実施の形態による切断工具の構成である。この切断工具は次のようにして用いられる。通信用光ファイバ素線の切断と接続をする作業者は、図５に示すように、側部分１２の裏面１２Ｂに向けて操作ボタン１７を押す。これによって、把持部１６がスライド部２に向かって動き、把持部１６のＵ字状の長孔が前面１３Ａから長く突出し、通信用光ファイバ素線を通しやすくする。切断工具が図５の状態になっているとき、作業者は通信用光ファイバ素線１０１を把持部１６に通す。このとき、通信用光ファイバ素線１０１をガイドピン１４の間に通し、通信用光ファイバ素線１０１を把持部１６に向けて動かせば、ガイドピン１４によって通信用光ファイバ素線１０１が案内され、作業者は通信用光ファイバ素線１０１を把持部１６に容易に通すことができる。
【００３０】
作業者は、通信用光ファイバ素線１０１を把持部１６に通した後、図６に示すように、操作ボタン１７を裏面１２Ｂから引き戻す。これによって、把持部１６が板バネ１３の前面１３Ａに向かって動き、通信用光ファイバ素線１０１を把持して前面１３Ａに固定する。
【００３１】
作業者は、通信用光ファイバ素線１０１を固定した後、スライド部２のすべり止め２１に手を当てて、スライド部２を板バネ１３の前面１３Ａに向かって動かし、図７に示すように、通信用光ファイバ素線１０１のＵＶ被覆、一次被覆、クラッドに微細な傷をつける。刃２４の先端２４Ｂ（図２）が、把持部１６の配列方向１６Ａ（図１）と直角に交差するように、刃２４が配置されているので、把持部１６によって固定されている通信用光ファイバ素線１０１には、その長手方向と直角な方向に刃傷が付けられる。
【００３２】
通信用光ファイバ素線１０１に刃傷が付けられると、図８に示すように、作業者は、応力発生ボタン１５を側部分１２の裏面１２Ｂに向けて押すと、応力発生ボタン１５の先端が板バネ１３に応力を加える。板バネ１３の両端が固定されているので、２組のガイドピン１４の間に位置する、板バネ１３の中央部分がスライド部２に向かって凸状に変形する。これによって、通信用光ファイバ素線１０１が曲げられ、通信用光ファイバ素線１０１の曲げによる引張り力により、通信用光ファイバ素線１０１を切断することができる。
【００３３】
このとき、図９に示すように、刃２４の一方の面２４Ａが通信用光ファイバ素線１０１に対して直角に入るので、使用する側の素線１０２となる光ファイバ１０１Ａの被覆１０１Ｂに損傷（図１０）を与えることがなく、つまり、切断面を損傷することなく、被覆１０１Ｂと、光ファイバ１０１Ａのクラッドとに刃傷を付けることができる。この結果、使用する側の素線１０２の被覆にバリが発生することを防ぐことができる。
【００３４】
通信用光ファイバ素線１０１を切断した後、本体部分１１の把持部１６によって、使用する側の通信用光ファイバ素線と、捨てる側の通信用光ファイバ素線との両方を把持し、切断により発生する通信用光ファイバ素線の屑の紛失を防ぐことができる。
以上、この発明の実施形態を詳述してきたが、具体的な構成はこの実施形態に限られるものではなく、この発明の要旨を逸脱しない範囲の設計の変更等があっても、この発明に含まれる。
【図面の簡単な説明】
【００３５】
【図１】本発明の実施の形態を示す斜視図である。
【図２】図１の側部分を示す平面図である。
【図３】スライド部の内部を示す断面図である。
【図４】固定具の断面を示す断面図である。
【図５】図１の切断工具を用いて通信用光ファイバ素線を切断する様子を説明する説明図である。
【図６】図１の切断工具を用いて通信用光ファイバ素線を切断する様子を説明する説明図である。
【図７】図１の切断工具を用いて通信用光ファイバ素線を切断する様子を説明する説明図である。
【図８】図１の切断工具を用いて通信用光ファイバ素線を切断する様子を説明する説明図である。
【図９】図１の切断工具を用いて通信用光ファイバ素線を切断する様子を説明する説明図である。
【図１０】従来の光ファイバ加工を説明するための説明図である。
【符号の説明】
【００３６】
１  本体
１１  本体部分
１１Ａ  表面
１２  側部分
１２Ａ  表面
１２Ｂ  裏面
１３  板バネ
１３Ａ  前面
１３Ｂ  後面
１４  ガイドピン
１５  応力発生ボタン
１６  把持部
１７  操作ボタン
２  スライド部
２Ａ  表面
２Ｂ  裏面
２Ｃ、２Ｄ  空洞
２１  すべり止め
２１Ａ  板状体
２２  板状突起
２３  保持部
２３Ａ  固定台
２３Ｂ  スプリング
２３Ｃ  移動板
２３Ｄ  ネジ
２４  刃
２４Ａ  一方の面
２４Ｂ  他方の面（傾斜面）
２４Ｃ  先端
【図１】
2005173183.tif 000003
【図２】
2005173183.tif 000004
【図３】
2005173183.tif 000005
【図４】
2005173183.tif 000006
【図５】
2005173183.tif 000007
【図６】
2005173183.tif 000008
【図７】
2005173183.tif 000009
【図８】
2005173183.tif 000010
【図９】
2005173183.tif 000011
【図１０】
2005173183.tif 000012